(57)【要約】【課題】  表示装置の狹額縁化を図る。【解決手段】  表示装置は、表示パネルと、前記表示パネルの観察者側の面上に配置されるフロントパネルとを備え、前記フロントパネルは、凸レンズ機能を持ち、かつ前記表示パネルの表示領域全体を覆う大きさで形成されている。【選択図】        図３
2010015094.tif 000002
【特許請求の範囲】
【請求項１】
表示パネルと、前記表示パネルの観察者側の面上に配置されるフロントパネルとを備え、
前記フロントパネルは、凸レンズ機能を持ち、かつ前記表示パネルの表示領域全体を覆う大きさで形成されていることを特徴とする表示装置。
【請求項２】
前記表示パネルは、その観察者側の面に偏光板を有する液晶表示パネルであり、
前記フロントパネルは、前記偏光板に接着材を介して固定されていることを特徴とする請求項１に記載の表示装置。
【請求項３】
前記フロントパネルは、平面が４つの辺を有する方形状で形成され、
前記４つの辺の各々は、各々の中間部が突出する湾曲形状になっていることを特徴とする請求項１に記載の表示装置。
【請求項４】
前記フロントパネルの周縁は、厚さ方向に沿う断面形状が丸みを帯びていることを特徴とする請求項１に記載の表示装置。
【請求項５】
第１の基板と、第２の基板と、前記第１及び第２の基板間に挟持される液晶層と、前記第２の基板の前記液晶層とは反対側の観察者側の面に設けられた偏光板とを有する液晶表示パネルと、
前記偏光板に接着材を介して固定されたフロントパネルとを備え、
前記液晶表示パネルは、複数の画素が配置された表示領域と、前記表示部の周囲に配置された非表示領域とを有し、
前記フロントパネルは、凸レンズ機能を持ち、かつ前記表示パネルの表示領域全体を覆う大きさで形成され、
前記フロントパネル側から前記液晶表示パネルを見たとき、前記液晶表示パネルの前記非表示領域が見えないことを特徴とする表示装置。
【請求項６】
前記表示パネルの前記非表示領域は、遮光膜を有することを特徴とする請求項５に記載の表示装置。
【請求項７】
前記フロントパネルは、前記フロントパネルの周縁まで前記液晶表示パネルの前記表示領域を拡大して表示することを特徴とする請求項５に記載の表示装置。
【請求項８】
液晶表示モジュールと筐体とを備えた携帯機器であって、
前記液晶表示モジュールは、
第１の基板と、第２の基板と、前記第１及び第２の基板間に挟持される液晶層と、前記第２の基板の前記液晶層とは反対側の観察者側の面に設けられた偏光板とを有する液晶表示パネルと、
前記偏光板に接着材を介して固定されたフロントパネルとを備え、
前記液晶表示パネル及び前記フロントパネルは、長辺及び短辺を有する長方形の平面形状で形成され、
前記液晶表示パネルは、複数の画素が配置された表示領域と、前記表示部の周囲に配置され、遮光膜が形成された非表示領域とを有し、
前記フロントパネルは、凸レンズ機能を持ち、かつ前記表示パネルの表示領域全体を覆う大きさで形成され、
前記筐体は、前記フロントパネルを収納する開口部を有し、
前記フロントパネルは、前記フロントパネルの前記長辺側において、前記フロントパネルの周縁まで前記液晶表示パネルの前記表示領域を拡大して表示し、
前記フロントパネルは、前記フロントパネルの短辺側において、前記フロントパネルの前記偏光板側の面の周縁に前記筐体と同色の着色層を有し、
前記フロントパネル側から前記液晶表示パネルを見たとき、前記フロントパネルの前記短辺側において、前記遮光膜は、前記着色層と前記筐体とで覆われていることを特徴とする携帯機器。
【請求項９】
液晶表示モジュールと筐体とを備えた携帯機器であって、
前記液晶表示モジュールは、
第１の基板と、第２の基板と、前記第１及び第２の基板間に挟持される液晶層と、前記第２の基板の前記液晶層とは反対側の観察者側の面に設けられた偏光板とを有する液晶表示パネルと、
前記偏光板に接着材を介して固定されたフロントパネルとを備え、
前記液晶表示パネル及び前記フロントパネルは、長辺及び短辺を有する長方形の平面形状で形成され、
前記液晶表示パネルは、複数の画素が配置された表示領域と、前記表示部の周囲に配置され、遮光膜が形成された非表示領域とを有し、
前記フロントパネルは、凸レンズ機能を持ち、かつ前記表示パネルの表示領域全体を覆う大きさで形成され、
前記筐体は、前記フロントパネルを収納する開口部を有し、
前記フロントパネルは、前記フロントパネルの長辺側において、前記フロントパネルの周縁まで前記液晶表示パネルの前記表示領域を拡大して表示し、
前記フロントパネル側から前記液晶表示パネルを見たとき、前記フロントパネルの前記短辺側において、前記遮光膜は、前記筐体で覆われていることを特徴とする携帯機器。
【発明の詳細な説明】
【技術分野】
【０００１】
本発明は、表示装置およびそれを組み込んだ携帯機器に係り、特に、表示装置の狭額縁化に関する。
【背景技術】
【０００２】
表示装置の一つに液晶表示装置が知られている。この液晶表示装置においては、液晶表示パネルの観察者側の偏光板に、この偏光板と同等の屈折率の接着材を介してフロントパネルが固定された構造（以下、ハイブリットパネル構造と言う）のものが知られている。このハイブリットパネル構造は、液晶表示パネルの観察者側の偏光板上に空隙層を介してフロントパネルが配置された構造と比較して、（１）ダストフリー化（異物の混入が少ない）、（２）薄型化、（３）屋外視認性が良い、（４）輝度率が高い、などの特徴を有する。
【発明の開示】
【発明が解決しようとする課題】
【０００３】
携帯電話機などの携帯機器の表示部として使用される液晶表示装置においては、狹額縁化（同一外形寸法内で最大画面サイズ）が要求されている。一方、ハイブリットパネル構造がここ数年で普及し、携帯用の液晶表示装置に広く適用される状況にある。そこで、本発明者は、フロントパネルに着目し、本発明をなした。
本発明の目的は、表示装置の挟額縁化を図ることが可能な技術を提供することにある。
本発明の前記並びにその他の目的と新規な特徴は、本明細書の記述及び添付図面によって明らかになるであろう。
【課題を解決するための手段】
【０００４】
本願において開示される発明のうち、代表的なものの概要を簡単に説明すれば、下記のとおりである。
（１）表示パネルと、前記表示パネルの観察者側の面上に配置されるフロントパネルとを備えた表示装置であって、前記フロントパネルは、凸レンズ機能を持ち、かつ前記表示パネルの表示領域全体を覆う大きさで形成されている。
（２）上記（１）において、前記表示パネルは、その観察者側の面に偏光板を有する液晶表示パネルであり、前記フロントパネルは、前記偏光板に接着材を介して固定されている。
（３）上記（１）において、前記フロントパネルは、平面が４つの辺を有する方形状で形成され、前記４つの辺の各々は、各々の中間部が突出する湾曲形状になっている。
（４）上記（１）において、前記フロントパネルの周縁は、厚さ方向に沿う断面形状が丸みを帯びている。
【０００５】
（５）第１の基板と、第２の基板と、前記第１及び第２の基板間に挟持される液晶層と、前記第２の基板の前記液晶層とは反対側の観察者側の面に設けられた偏光板とを有する液晶表示パネルと、前記偏光板に接着材を介して固定されたフロントパネルとを備えた表示装置であって、
前記液晶表示パネルは、複数の画素が配置された表示領域と、前記表示部の周囲に配置された非表示領域とを有し、前記フロントパネルは、凸レンズ機能を持ち、かつ前記表示パネルの表示領域全体を覆う大きさで形成され、
前記フロントパネル側から前記液晶表示パネルを見たとき、前記液晶表示パネルの前記非表示領域が見えない。
（６）上記（５）において、前記表示パネルの前記非表示領域は、遮光膜を有する。
（７）上記（５）において、前記フロントパネルは、前記フロントパネルの周縁まで前記液晶表示パネルの前記表示領域を拡大して表示する。
【０００６】
（８）液晶表示モジュールと筐体とを備えた携帯機器であって、
前記液晶表示モジュールは、第１の基板と、第２の基板と、前記第１及び第２の基板間に挟持される液晶層と、前記第２の基板の前記液晶層とは反対側の観察者側の面に設けられた偏光板とを有する液晶表示パネルと、前記偏光板に接着材を介して固定されたフロントパネルとを備え、
前記液晶表示パネルは、長辺及び短辺を有する長方形の平面形状で形成され、
前記液晶表示パネルは、複数の画素が配置された表示領域と、前記表示部の周囲に配置され、遮光膜が形成された非表示領域とを有し、
前記フロントパネルは、凸レンズ機能を持ち、かつ前記表示パネルの表示領域全体を覆う大きさで形成され、
前記筐体は、前記フロントパネルを収納する開口部を有し、
前記フロントパネルは、前記液晶表示パネルの前記短辺に沿う方向において、前記フロントパネルの周縁まで前記液晶表示パネルの前記表示領域を拡大して表示し、
前記フロントパネルは、前記液晶表示パネルの前記長辺に沿う方向において、前記フロントパネルの前記偏光板側の面の周縁に前記筐体と同色の着色層を有し、
前記フロントパネル側から前記液晶表示パネルを見たとき、前記フロントパネルの前記短辺側において、前記遮光膜は、前記着色層と前記筐体とで覆われている。
【０００７】
（９）液晶表示モジュールと筐体とを備えた携帯機器であって、
前記液晶表示モジュールは、第１の基板と、第２の基板と、前記第１及び第２の基板間に挟持される液晶層と、前記第２の基板の前記液晶層とは反対側の観察者側の面に設けられた偏光板とを有する液晶表示パネルと、前記偏光板に接着材を介して固定されたフロントパネルとを備え、
前記液晶表示パネルは、長辺及び短辺を有する長方形の平面形状で形成され、
前記液晶表示パネルは、複数の画素が配置された表示領域と、前記表示部の周囲に配置され、遮光膜が形成された非表示領域とを有し、
前記フロントパネルは、凸レンズ機能を持ち、かつ前記表示パネルの表示領域全体を覆う大きさで形成され、
前記筐体は、前記フロントパネルを収納する開口部を有し、
前記フロントパネルは、前記液晶表示パネルの前記短辺に沿う方向において、前記フロントパネルの周縁まで前記液晶表示パネルの前記表示領域を拡大して表示し、
前記フロントパネル側から前記液晶表示パネルを見たとき、前記液晶表示パネルの前記短辺側において、前記遮光膜は、前記筐体で覆われている。
【発明の効果】
【０００８】
本願において開示される発明のうち代表的なものによって得られる効果を簡単に説明すれば、下記のとおりである。
本発明によれば、表示装置の挟額縁化を図ることが可能となる。
【発明を実施するための最良の形態】
【０００９】
以下、図面を参照して本発明の実施例を詳細に説明する。なお、発明の実施例を説明するための全図において、同一機能を有するものは同一符号を付け、その繰り返しの説明は省略する。
［実施例１］
本実施例１では、表示装置の一例として例えば液晶表示モジュール（液晶表示装置）に本発明を適用した例について説明する。
図１乃至図３は、本発明の実施例１の液晶表示モジュールに係る図であり、
図１は、液晶表示モジュールの概略構成を示す斜視図、
図２は、液晶表示モジュールの概略構成を示す平面図、
図３は、図１のＡ−Ａ’線に沿った断面構造を示す断面図である。
本実施例１の液晶表示モジュール４１は、画素数が、カラー表示で２４０×３２０×３程度の小型の液晶表示パネルを有するＴＦＴ（Thin Film Transistor）方式の液晶表示モジュールであり、携帯電話機などの携帯機器の表示部として広く使用されている。
【００１０】
本実施例１の液晶表示モジュール４１は、図１乃至図３に示すように、液晶表示パネル１０と、液晶表示パネル１０の観察者側の面上に配置されたフロントパネル３０と、液晶表示パネル１０の観察者側とは反対側の面下に配置されたバックライト２０とを備えている。
液晶表示パネル１０は、第１の基板１１と、第２の基板１２と、第１の基板１１と第２の基板１２との間に挟持される液晶層（図示せず）と、駆動回路が搭載された半導体チップ１４と、第１の基板１１の少なくとも一辺に接続されるフレキシブル配線基板１５と、第２の基板１２の液晶層とは反対側の面に貼り付けられた偏光板１８とを有している。第２の基板１２の液晶層とは反対側が観察者側となっている。
また、液晶表示パネル１０は、複数の画素がマトリクス状に配置された表示領域ａと、この表示領域ａの周囲に配置された非表示領域ｂとを有している。複数の画素の各々は、画素電極及び対向電極を有している。非表示領域ｂには、ブラックマトリクスなどの遮光膜１３が設けられている。
第１及び第２の基板（１１，１２）としては、例えばガラス等の透明な絶縁性基板が用いられている。液晶層としては、ポジ型液晶、或いはネガ型液晶が用いられている。
第１及び第２の基板（１１，１２）の各々は、例えば長辺及び短辺を有する長方形の平面形状で形成されている。第１及び第２の基板（１１，１２）のうち、第１の基板１１の長辺は第２の基板１２の長辺よりも長く、第１の基板１１は第２の基板１２と重畳しない領域（以下、非重畳領域と言う）を有する構成になっている。半導体チップ１４は、第１の基板１１の液晶層側の面の非重畳領域に実装されている。
第１の基板１１には、薄膜トランジスタ、画素電極、対向電極等が形成されており、第２の基板２には、カラーフィルタ等が形成されている。ここで、本実施例の液晶表示パネル１０は、ＩＰＳ方式の液晶表示パネルであるので、対向電極は第１の基板１１側に設けられるが、ＴＮ方式やＶＡ方式の液晶表示パネルの場合、対向電極は第２の基板１２側に設けられる。
【００１１】
フロントパネル３０は、液晶表示パネル１０の第２の基板１２側の偏光板１８に、この偏光板１８と同等の屈折率の接着材１９を介して接着固定されている。
また、フロントパネル３０は、フロントパネル３０側から液晶表示パネル１０の表示領域ａを見たとき、液晶表示パネル１０の表示領域ａを拡大して表示する凸レンズ機能を有しており、液晶表示パネル１０の表示領域ａの全体を覆う大きさで形成されている。
また、フロントパネル３０は、フロントパネル３０を観察者側から見たときの平面形状が４つの辺３０ａを有する方形状で形成され、液晶表示パネル１０と同様の平面形状で形成されている。本実施例の液晶表示パネル１０は長方形の平面形状で形成されているので、フロントパネル３０も長辺及び短辺を有する長方形の平面形状で形成されている。フロントパネル３０は、例えばガラス、樹脂等の透明な絶縁性材料で形成されている。
なお、図１乃至図３において、符号Ａは、液晶表示パネル１０の画素領域ａをフロントパネル３０の凸レンズ機能によって拡大した画素領域である。
本実施例１の液晶表示モジュール４１は、前述したように、液晶表示パネル１０の観察者側の偏光板１８に、この偏光板１８と同等の屈折率の接着材１９を介してフロントパネル３０が固定された構造、即ちハイブリットパネル構造になっている。そして、フロントパネル３０は、凸レンズ機能を持ち、かつ表示パネル１０の表示領域ａの全体を覆う大きさで形成されている。このような構成とすることにより、液晶表示パネル１０の表示領域ａをフロントパネルで拡大して表示、換言すれば同一の外形寸法内で画面サイズを拡大できるので、液晶表示パネル１０の狹額縁化を図ることができる。
なお、本実施例では、図３に示すように、液晶表示パネル１０の表示領域ａをフロントパネル３０の周縁まで拡大していないが、液晶表示パネル１０の表示領域ａをフロントパネル３０の周縁まで拡大するようにしてもよい。
【００１２】
［実施例２］
図４乃至図６は、本発明の実施例２の液晶表示モジュールに係る図であり、
図４は、液晶表示モジュールの概略構成を示す斜視図、
図５は、液晶表示モジュールの概略構成を示す平面図、
図６は、図４のＢ−Ｂ’線に沿った断面構造を示す断面図である。
本実施例２の液晶表示モジュール４２は、基本的に前述の実施例１と同様の構成になっており、以下の点が異なっている。
即ち、前述の実施例１では、フロントパネル３０を観察者側から見たときの平面形状を構成する（外縁の輪郭線となる）４つの辺３０ａの各々は、図２に示すように、直線状になっている。これに対して、本実施例２では、フロントパネル３０を観察者側から見たときの平面形状を構成する４つの辺３０ａの各々は、図５に示すように、各々の中間部が各々の両端部よりも外側に突出する湾曲形状になっている。
また、前述の実施例１では、フロントパネル３０の周縁は、図３に示すように、厚さ方向に沿う断面形状が屈曲している。これに対して、本実施例２では、フロントパネル３０の周縁は、図６に示すように、厚さ方向に沿う断面形状が丸みを帯びている。
フロントパネル３０の平面形状が四角形の場合、拡大された画面は周縁が歪んで見えるので、本実施例２のように、フロントパネル３０の平面形状を構成する４つの辺３０ａの各々を湾曲形状とすることで、違和感を軽減できる。また、フロントパネル３０の周縁の厚さ方向に沿う断面形状に丸みを持たせることでも、同様の効果を得ることができる。
【００１３】
［実施例３］
図７は、本発明の実施例３の液晶表示モジュールの断面構造を示す断面図である。
本実施例３の液晶表示モジュール４３は、基本的に前述の実施例１と同様の構成になっており、以下の点が異なっている。
即ち、前述の実施例１では、フロントパネル３０は、図３に示すように、凸レンズ機能を持つ単体の部材で構成されている。これに対して、本実施例３では、図７に示すように、凸レンズ機能を持つレンズ部材３１と、この部材３１上に配置された平板部材３２とを組み合わせた構造になっている。
このような本実施例３においても、前述の実施例１と同様の効果が得られる。
【００１４】
［実施例４］
一般に、液晶表示パネル１０の表示領域ａは、遮光膜１３を有する非表示領域ｂで周囲を囲まれているため、液晶表示パネル１０を観察者側から見たとき、表示領域ａの周囲が黒く縁取りされた画面となるが、表示領域ａの拡大にともなって非表示領域ｂも拡大されてしまうことがある。そこで、本実施例４は、凸レンズ機能を持つフロントパネル３０で液晶表示パネル１０の表示領域ａを拡大しつつ、表示領域ａの周囲を黒く縁取りする非表示領域ｂの画面表示を抑制するようにしたものである。
図８乃至図１０は、本発明の実施例４の携帯機器に係る図であり、
図８は、携帯機器の表示部を示す平面図、
図９は、図８のＣ−Ｃ’線に沿った断面構造を示す断面図、
図１０は、図８のＤ−Ｄ’線に沿った断面構造を示す断面図である。
本実施例４の携帯機器は、表示部において、図８乃至図１０に示すように、筐体５０と液晶表示モジュール４４とを備えている。筐体５０は、液晶表示モジュール４４のフロントパネル３０を内部に収納し、かつフロントパネル３０の周縁の外側に開口端が位置する開口部５１を備えている。
本実施例４の液晶表示モジュール４４は、基本的に前述の実施例１と同様の構成になっており、以下の点が異なっている。
即ち、フロントパネル３０は、図９に示すように、フロントパネル３０の長辺側（第１の方向に沿う辺側）において、換言すればフロントパネル３０の短辺に沿う方向において、フロントパネル３０の周縁まで液晶表示パネル１０の表示領域ａを拡大して表示（表示領域ａ＜表示領域Ａ）する。
また、フロントパネル３０は、図１０に示すように、フロントパネル３０の短辺側（第１の方向と交差する第２の方向に沿う辺側）において、換言すればフロントパネル３０の長辺に沿う方向において、偏光板１８側の面の周縁に筐体５０と同色の着色層３３を有している。
また、フロントパネル３０側から液晶表示パネル１０を見たとき、フロントパネル３０の短辺側において、液晶表示パネル１０の非表示領域ｂの遮光膜１３は、フロントパネル３０の着色層３３と筐体５０とで覆われている。
このような構成とすることにより、フロントパネル３０の長辺側では、フロントパネル３０の周縁まで液晶表示パネル１０の表示領域ａを拡大して表示するので、フロントパネル３０の長辺側では非表示領域は画面表示されない。
また、フロントパネル３０の短辺側では、液晶表示パネル１０の表示領域ａの遮光膜１３は、筐体５０と、この筐体５０と同色で構成され、かつフロントパネル３０に設けられた着色層３３とで覆われているため、フロントパネル３０の短辺側でも非表示領域は画面表示されない。
従って、凸レンズ機能を持つフロントパネル３０で液晶表示パネル１０の表示領域ａを拡大しつつ、表示領域ａの周囲を黒く縁取りする非表示領域ｂの画面表示を抑制することができる。
［実施例５］
図１１は、本発明の実施例５である液晶表示モジュールの断面構造を示す断面図である。この図１１は、前述の実施例５の図１０に対応するものである。
本実施例５の携帯機器は、基本的に前述の実施例４と同様の構成になっており、以下の点が異なっている。
即ち、フロントパネル３０は、フロントパネル３０の短辺に沿う方向において、図９に示すように、前述の実施例４と同様に、フロントパネル３０の周縁まで液晶表示パネル１０の表示領域ａを拡大して表示するが、フロントパネル３０側から液晶表示パネル１０を見たとき、図１１に示すように、フロントパネル３０の短辺側において、遮光膜１３は、筐体５０で覆われている。
このような構成とすることで、フロントパネル３０の長辺側では、フロントパネル３０の周縁まで液晶表示パネル１０の表示領域ａを拡大して表示するので、フロントパネル３０の長辺側では非表示領域は画面表示されない。
また、フロントパネル３０の短辺側では、液晶表示パネル１０の表示領域ａの遮光膜１３は、筐体５０で覆われているため、フロントパネル３０の短辺側でも非表示領域は画面表示されない。
従って、本実施例５においても、凸レンズ機能を持つフロントパネル３０で液晶表示パネル１０の表示領域ａを拡大しつつ、表示領域ａの周囲を黒く縁取りする非表示領域ｂの画面表示を抑制することができる。
なお、前述の実施例では、表示パネルの一例として液晶表示パネルを備えた液晶表示モジュール及びそれを組み込んだ携帯機器について説明したが、本発明は、これに限定されるものではなく、有機ＥＬ表示パネルや無機ＥＬ表示パネル等の他の表示パネルを備えた表示モジュール及びそれを組み込んだ携帯機器に適用することができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１５】
【図１】本発明の実施例１の液晶表示モジュールの概略構成を示す斜視図である。
【図２】本発明の実施例１の液晶表示モジュールの概略構成を示す平面図である。
【図３】図１のＡ−Ａ’線に沿った断面構造を示す断面図である。
【図４】本発明の実施例２の液晶表示モジュールの概略構成を示す斜視図である。
【図５】本発明の実施例２の液晶表示モジュールの概略構成を示す平面図である。
【図６】図４のＢ−Ｂ’線に沿った断面構造を示す断面図である。
【図７】本発明の実施例３である液晶表示モジュールの断面構造を示す断面図である。
【図８】本発明の実施例４の携帯機器の表示部を示す平面図である。
【図９】図８のＣ−Ｃ’線に沿った断面構造を示す断面図である。
【図１０】図８のＤ−Ｄ’線に沿った断面構造を示す断面図である。
【図１１】本発明の実施例４である液晶表示モジュールの断面構造を示す断面図である。
【符号の説明】
【００１６】
ａ，Ａ  表示領域
ｂ  非表示領域
１０  液晶表示パネル
１１，１２  基板
１３  遮光膜
１４  半導体チップ
１５  フレキシブル配線基板
１８  偏光板
１９  接着材
２０  バックライト
３０  フロントパネル
３１  レンズ部材
３２  平板部材
３３  着色層
４１，４２，４３，４４  液晶表示モジュール
５０  筐体
５１開口部
【図１】
2010015094.tif 000003
【図２】
2010015094.tif 000004
【図３】
2010015094.tif 000005
【図４】
2010015094.tif 000006
【図５】
2010015094.tif 000007
【図６】
2010015094.tif 000008
【図７】
2010015094.tif 000009
【図８】
2010015094.tif 000010
【図９】
2010015094.tif 000011
【図１０】
2010015094.tif 000012
【図１１】
2010015094.tif 000013